(57)【要約】【課題】  簡素かつ実用的な構造でありながら優れた緩衝性能を備え、階段の昇降によってビス頭部を隠蔽している部材がずれたりはずれたりしないようにして安全性を高める。【解決手段】  本発明の段鼻部材１は、階段４の段鼻部４１にビス止めされて硬質樹脂からなる取付基部２と、この取付基部２の表面を覆う軟質樹脂からなる表層部３とを備える。取付基部２と表層部３とは鼻先側の略半部において一体に固着されている。取付基部２の鼻先の反対側には、階段４の幅方向に取付溝部２４が帯状に設けられる。表層部３は鼻先側において取付基部２と一体に結合され、鼻先の反対側にのビス隠し部３１２によってビス３３を隠蔽するように形成される。このビス隠し部３１２は取付基部２からめくり上げ可能、かつ取付溝部２４に嵌着自在に形成されている。【選択図】  図２
2006138075.tif 000002
【特許請求の範囲】
【請求項１】
階段の段鼻部にビス止めされる硬質樹脂からなる取付基部と、この取付基部の表面を覆う軟質樹脂からなる表層部とを備えた合成樹脂製の段鼻部材であって、
取付基部と表層部とは鼻先側の略半部において一体に固着される一方、取付基部の鼻先と反対側の略半部には、階段の幅方向に延びる帯状の取付溝部が設けられ、この取付溝部によって取付基部が段鼻部にビス止めされるとともに、表層部の鼻先と反対側の略半部には、前記ビスを隠蔽するビス隠し部が形成され、このビス隠し部が取付基部からめくり上げ可能、かつ取付溝部に嵌着自在に形成されたことを特徴とする段鼻部材。
【請求項２】
表層部のビス隠し部の裏面側には、取付溝部の開口縁に形成された突縁に係脱可能な係止片が突設されており、この係止片が硬質樹脂により形成されたことを特徴とする請求項１に記載の段鼻部材。
【請求項３】
鼻先側の略半部における取付基部と表層部との間には、緩衝空間が設けられたことを特徴とする請求項１または２に記載の段鼻部材。
【発明の詳細な説明】
【技術分野】
【０００１】
本発明は、階段の滑り止めと転倒時の衝撃を緩和する目的で階段の段鼻部に設けられる段鼻部材に関する。
【背景技術】
【０００２】
階段は建物の中でも特に危険な場所であることから、その段鼻部（段板前端の角部）には、通常、昇降時の踏み外しを防ぐための段鼻部材が取り付けられる。かかる段鼻部材としては、従来、段鼻部の磨耗や損傷の防止を兼ねて、金属製や硬質ゴム製のものが広く利用されてきた。しかし、この種の硬質材料からなる段鼻部材は、転倒事故に際して腰部や頭部に加わる衝撃力を十分に緩和しうるものではなく、深刻なけがを招くことが多かった。
【０００３】
そこで、さらなる安全のため、軟質の合成樹脂材料を組み合わせ、さらに角部近傍に中空部を形成して、転倒時の衝撃吸収力を高めた段鼻部材が利用されるようになった。
【０００４】
かかる段鼻部材として、例えば特許文献１に開示された段鼻部材９がある。この段鼻部材９は、図３に示すように、表面層の滑り止め部９１と、滑り止め部９１の前方下面側に一体的に結合された前側クッション部９２とが、階段Ｓの段鼻部に固着された枠体９３を介して、階段Ｓの蹴上げ面から踏面に沿うように固定されるものである。滑り止め部９１は耐磨耗性に優れた軟質樹脂により形成され、クッション部９２はクッション性に優れた軟質樹脂により形成されている。また、枠体９３は、金属または硬質樹脂により形成されている。そして、歩行時及び転倒時のクッション性を確保するために、滑り止め部９１と前側クッション部９２には中空部９４，９５が形成されている。
【０００５】
かかる段鼻部材９においては、枠体９３を階段Ｓの隅部に接着した後、滑り止め部９１の鼻先側および鼻先側の反対側に形成された凹溝９６を介してビス９７により滑り止め部９１を階段Ｓに固定し、これらの凹溝９７に帯条片９８を嵌め込んでビス９７の頭部を隠蔽するという提案もなされている。
【０００６】
また、特許文献２，３等にも、前記段鼻部材９に類似した構成を有する複数種類の段鼻部材が開示されている。
【特許文献１】特開昭５８−１９１８５９号公報
【特許文献２】特開昭６１−２５４７５０号公報
【特許文献３】特開平１１−３００１５号公報
【発明の開示】
【発明が解決しようとする課題】
【０００７】
上記のような段鼻部材は、滑り止め部を固定するビスの頭部が、凹溝に嵌め込まれる帯条片によって隠蔽される構成であり、帯条片が表面層の滑り止め部とは別部材で形成されているので、階段の昇降を繰り返すうちに帯条片が凹溝からずれたり、外れたりするおそれがあった。したがって、歩行時および転倒時のクッション性を確保する一方で、帯条片が外れた凹溝や、外れた帯条片につまずいて転倒してしまうことも考えられ、安全性に劣るという問題点があった。また、施工時に帯条片を凹溝に嵌め込む作業は面倒であり、作業性に劣っていた。
【０００８】
本発明は、上記のような問題点にかんがみてなされたものであり、階段用段鼻部材を固定するビス頭部を、別部材によって隠蔽するのではなく、ビス頭部を隠蔽する部材を段鼻部材本体と一体に形成することで、ビス頭部を隠蔽する部材がずれたり外れたりするという問題点を解消し、もって、高い安全性と施工性を実現することを解決課題とする。
【課題を解決するための手段】
【０００９】
上記した目的を達成するため、本発明は、階段の段鼻部にビス止めされる硬質樹脂からなる取付基部と、この取付基部の表面を覆う軟質樹脂からなる表層部とを備えた合成樹脂製の段鼻部材であって、取付基部と表層部とは鼻先側の略半部において一体に固着される一方、取付基部の鼻先と反対側の略半部には、階段の幅方向に延びる帯状の取付溝部が設けられ、この取付溝部によって取付基部が段鼻部にビス止めされるとともに、表層部の鼻先と反対側の略半部には、前記ビスを隠蔽するビス隠し部が形成され、このビス隠し部が取付基部からめくり上げ可能、かつ取付溝部に嵌着自在に形成されたことを特徴としている。
【００１０】
この構成によれば、取付基部と表層部とが鼻先側の略半部で一体に固着されて、ビス隠し部がこの表層部に一体形成されているので、階段の昇降によってもビス隠し部が外れることなく、ビスの頭部を隠蔽することができる。また、このビス隠し部は取付溝部に嵌着自在な構成であるので、取付基部を段鼻部に取り付けるにあたっては、隠蔽部材を別途用意したり無くてしまったりする心配がなく、ビス隠し部をめくり上げてビス止めすればよいので、作業を迅速に進めることができる。また、取り付け後は、ビス隠し部が取付溝部からずれるおそれがなく、必要に応じてビス止め部分のメンテナンス等も容易に行うことができる。
【００１１】
また、本発明は上記構成において、表層部のビス隠し部の裏面側には、取付溝部の開口縁に形成された突縁に係脱可能な係止片が突設されており、この係止片が硬質樹脂により形成されたことを特徴としている。
【００１２】
この発明により、ビス隠し部の係止片と、取付溝部の突縁とを確実に係脱させることができ、良好な嵌着状態を維持することが可能になる。
【００１３】
さらに、本発明は前記構成において、鼻先側の略半部における取付基部と表層部との間には、緩衝空間が設けられたことを特徴としている。この構成によれば、緩衝空間において階段昇降時の鼻先側での衝撃を緩和して、優れたクッション性を提供することができる。
【発明の効果】
【００１４】
上述のように構成される本発明の段鼻部材によれば、取付基部と表層部とは鼻先側の略半部において一体に固着される一方、この表層部にビス隠し部が一体に形成されて、取付溝部に嵌着自在であるので、階段の昇降によってもビス隠し部がずれたり外れたりすることがなく、ビスの頭部を良好に隠蔽することができる。また、このビス隠し部の裏面側には硬質樹脂からなる係止片が備えられているので、硬質樹脂からなる取付溝部に良好に嵌着させることができる。
【発明を実施するための最良の形態】
【００１５】
以下、本発明に係る段鼻部材を実施するための最良の形態について、図面を参照しつつ説明する。
【００１６】
図１および図２は本発明の段鼻部材を示し、図１は段鼻部材の断面図、図２は段鼻部材のビス隠し部を開放した状態を示す断面図である。
【００１７】
この段鼻部材１は、弾性率の異なる二種類の合成樹脂を一体成形したもので、階段４の段鼻部４１にビス止めされる硬質樹脂からなる取付基部２と、この取付基部２の表面を覆って耐磨耗性に優れた軟質樹脂からなる表層部３とを備えている。
【００１８】
例示の形態において、階段４の段鼻部４１には切欠段部４２が形成されている。段鼻部材１の取付基部２は、この切欠段部４２の断面形状に沿う底面２１および立上面２２を有して入隅をなすように形成されている。取付基部２には、鼻先の反対側に取付溝部２４が設けられている。
【００１９】
取付溝部２４は、固定用のビス３３を差し込んでビス止めするために設けられた溝であり、階段４の幅方向に延びる帯状に形成されている。この取付溝部２４は、少なくともビス３３の頭部が嵌入しうる窪みを有するように形成されていればよく、例示の形態においては、取付基部２の鼻先と反対側の略半部に突設された区画壁２３によって断面略矩形の中空状をなすように形成されている。これにより、取付基部２と表層部３との間には、階段４の切欠段部４２の隅部に沿ってビス止め用の取付空間１２が確保されている。取付溝部２４の上部には、ビス挿通孔２４１が複数個設けられており、取付基部２を切欠段部４２にビス止めできるようになされている。
【００２０】
表層部３は、階段４の踏面４３の延長上に配設される滑り止め部３１と、階段４の蹴上面４４に沿って配設される垂下部３２とが、断面略Ｌ字形の出隅をなすように形成されている。滑り止め部３１の表面には、複数本の突条３１１が適宜間隔で形成されている。垂下部３２は、取付基部２の底面２１の端縁に一体に固着されている。
【００２１】
かかる表層部３の滑り止め部３１は、鼻先と反対側の略半部において、取付溝部２４を隠蔽しうるビス隠し部３１２として形成されている。このビス隠し部３１２は、取付基部２の区画壁２３の上端縁に一体に固着されている。これにより、ビス隠し部３１２は、この結合部を支点として取付基部２からめくり上げることができるようになっている。したがって、取付基部２を段鼻部４１に取り付けるにあたっては、ビス隠し部３１２をめくり上げてビス止めすればよく、ビスを隠すための別部材を用意したり、それを嵌め込んだりする面倒な作業が不要となる。
【００２２】
このビス隠し部３１２の裏面側は、取付基部２の取付溝部２４に対して嵌着自在に形成されている。例示の形態では、取付溝部２４の開口縁には突縁２４２が突設されている。一方、ビス隠し部３１２には、裏面側に係止片３１２ａが突設されて、取付溝部２４の突縁２４２に係脱可能とされている。
【００２３】
また、表面側の滑り止め部３１（ビス隠し部３１２）が軟質樹脂で形成されているのに対し、この係止片３１２ａは硬質樹脂によって形成されている。これにより、係止片３１２ａは、硬質樹脂からなる取付溝部２４に嵌合しやすく、かつ外れにくくなっている。
【００２４】
このような表層部３を構成する軟質樹脂は、肉厚が２〜６ｍｍ、曲げ弾性率が２０〜１５０ＭＰａの範囲内であることが好ましい。これに対し、取付基部２および係止片３１２ａを構成する硬質樹脂は、曲げ弾性率が７００〜５，０００ＭＰａの範囲内であることが好ましい。これにより、表層部３においては、ほどよい反発弾性が得られるので、良好な歩行感を提供することができるとともに、取付基部２においては、表層部３を支持しうるものとなる。
【００２５】
また、かかる構成により、取付基部２がビス止めされた後は、取付溝部２４にビス隠し部３１２を嵌着させて、滑り止め部３１を踏面４３の延長上にほぼ平滑に配設することができ、ビス隠し部３１２が取付溝部２４からずれたり外れたりするおそれがなく、良好な嵌着状態を維持することができる。
【００２６】
以上のように構成される段鼻部材１は、取付基部２と表層部３との間が、取付基部２に突設された区画壁２３によって区画されて、鼻先側の略半部に緩衝空間１１が形成されている。図示するように緩衝空間１１は、高さおよび奥行きがそれぞれ３〜３０ｍｍ程度の大きさで形成され、より好ましくは、高さおよび奥行きがそれぞれ５〜２０ｍｍの大きさで形成されるのがよい。
【００２７】
このような緩衝空間１１によって、階段４は、段鼻部４１の鼻先側における衝撃を緩和するための緩衝性能を確保することができる。また、この緩衝空間１１の反対側に区画形成された取付空間１２は、ビス止め用の空間を確保しつつ、表層部３のビス隠し部３１２によって完全に封止されて、そのクッション性を損なうことがない。
【００２８】
したがって、かかる構成の段鼻部材１により、階段４の昇降中に表層部３がめくり上がってつまずいたり、ビス固定が外れたりするおそれがなくなって、階段昇降の安全性を高め、良好な歩行感を提供することができる。
【産業上の利用可能性】
【００２９】
本発明は、階段の段鼻部に装着して利用することで、階段昇降時の安全性を高め、良好な歩行感を提供するとともに、段鼻部材の施工性を高めるのに有効である。
【図面の簡単な説明】
【００３０】
【図１】本発明の段鼻部材の断面図である。
【図２】前記段鼻部材のビス隠し部を開放した状態を示す断面図である。
【図３】従来の段鼻部材を示す断面斜視図である。
【符号の説明】
【００３１】
１      段鼻部材
１１    緩衝空間
１２    取付空間
２      取付基部
２１    底面
２２    立上面
２３    区画壁
２４    取付溝部
２４１  ビス挿通孔
２４２  突縁
３      表層部
３１    滑り止め部
３１１  突条
３１２  ビス隠し部
３２    垂下部
３３    ビス
４      階段
４１    段鼻部
４２    切欠段部
４３    踏面
４４    蹴上面
【図１】
2006138075.tif 000003
【図２】
2006138075.tif 000004
【図３】
2006138075.tif 000005